(57)【要約】【課題】施工が容易且つ正確に行え、意匠性に優れると共に、デッキ材の上を歩行する歩行者に安全なデッキ床を構成できるデッキ材支持構造を提供する。【解決手段】複数のデッキ材ｄ１，ｄ２を基礎Ｃ，Ｂの上方で支持するデッキ材支持構造Ｋであって、基礎であるコンクリートスラブＣと複数のコンクリートブロックＢとの上に固定される土台１と、係る土台１の上面の凹溝８内で下フランジ１２が固定される支持部材１０とを含み、複数のデッキ材ｄ１，ｄ２は、それらの側面に開口するスリットｓに上記支持部材１０の上フランジ１４が嵌装することにより、係止され且つ支持される、デッキ材支持構造Ｋ。【選択図】  図３
2006077446.tif 000002
【特許請求の範囲】
【請求項１】
複数のデッキ材を基礎の上方で支持するデッキ材支持構造であって、
基礎の上に固定される土台と、
上記土台の上面に固定される支持部材とを含み、
複数のデッキ材は、その側面で上記支持部材に係止されて支持される、
ことを特徴とするデッキ材支持構造。
【請求項２】
前記支持部材は、互いに平行な上フランジおよび下フランジと、これらの間を連結する垂直なウェブとを備え、
下フランジは、土台の上面に固定される共に、
上フランジは、隣接するデッキ材の各側面に設けたスリットに挿入される、
ことを特徴とする請求項１に記載のデッキ材支持構造。
【請求項３】
前記土台は、アルミニウム合金の押出形材からなり、
前記基礎の上に載置される中空部を内設する本体と、係る本体の側面における下端から水平に延びて上記基礎に固定される固定フランジと、上記本体の上面に位置し前記支持部材の下フランジを嵌装する凹溝と、を全長に沿って有する、
ことを特徴とする請求項１または２に記載のデッキ材支持構造。
【請求項４】
前記土台は、前記凹溝の底面に沿って少なくとも１つの樋が形成されている、
ことを特徴とする請求項３に記載のデッキ材支持構造。
【請求項５】
前記土台は、前記凹溝の両側に一対の凸条を突設しており、係る凸条により前記複数のデッキ材の底面を支持する、
ことを特徴とする請求項３または４に記載のデッキ材支持構造。
【請求項６】
前記土台における一対の凸条は、断面ほぼＴ字であると共に、当該一対の凸条間の凹溝に嵌装される前記支持部材との間に樋部を形成する、
ことを特徴とする請求項５に記載のデッキ材支持構造。
【請求項７】
前記土台と前記基礎との間に、弾性を有するパッキンが介在している、
ことを特徴とする請求項１乃至６の何れか一項に記載のデッキ材支持構造。
【発明の詳細な説明】
【技術分野】
【０００１】
本発明は、例えば、屋内や屋外に配置されるベランダや渡り廊下などのデッキ床を構成するために好適で、木製などの長尺なデッキ材をコンクリートスラブなどの基礎上に複数配置して、所要広さの床面を形成することができるデッキ材支持構造に関する。
【背景技術】
【０００２】
デッキ床を構成する床構造として、コンクリートスラブの上に立設した支持具のボルトに円盤状の支持板を支持し、係る支持板の上に載置した複数の床パネル体を、当該床パネル体を貫通するボルトとこれに締結する締付部材とからなる固定部材により、固定する床構造が提案されている（例えば、特許文献１参照）。
【０００３】
【特許文献１】特開２００１−２４１１７１号公報（第１〜８頁、図１〜１３）
【０００４】
しかしながら、前記床構造では、コンクリートスラブの上に支持具のボルトを立設する際に、その立設すべき位置に誤差やズレを生じ易いため、施工が困難になることがある。また、コンクリートスラブと支持具のボルトとの間には、硬質ゴムの支持台部が介在しているが、床パネル体に加わる荷重は、支持具のボルトに集中するため、人が歩行する際の衝撃を分散したり、吸収することができない。
更に、床パネル体の上方から締付部材を固定部材のボルトに締結するため、各床パネル体の表面には、上記締付部材およびこれを受け入れる拡径部が露出する。このため、デッキ床の外観および意匠性を損なうと共に、床パネル体の上を例えば裸足で歩行する歩行者にとって、怪我の危険を回避すべく、足元への注意が常に必要となる、という問題もあった。
【発明の開示】
【発明が解決しようとする課題】
【０００５】
本発明は、前述した背景技術における問題点を解決し、施工が容易且つ正確に行えると共に、意匠性に優れ且つデッキ材の上を歩行する歩行者にとって安全なデッキ床を構成できるデッキ材支持構造を提供する、ことを課題とする。
【課題を解決するための手段および発明の効果】
【０００６】
本発明は、前記課題を解決するため、デッキ床を構成する複数のデッキ材を、それらの側面で係止する、ことに着想して成されたものである。
即ち、本発明のデッキ材支持構造（請求項１）は、複数のデッキ材を基礎の上方で支持するデッキ材支持構造であって、基礎の上に固定される土台と、係る土台の上面に固定される支持部材とを含み、複数のデッキ材は、その側面で上記支持部材に係止されて支持される、ことを特徴とする。
【０００７】
これによれば、複数のデッキ材は、それらの側面で支持部材に係止され且つ土台の上方に支持されるため、各デッキ材を貫通するネジやボルトをなくすか、あるいは低減することができる。このため、得られるデッキ床の意匠性が向上すると共に、デッキ材の上を歩行する歩行者の安全性も図ることが可能となる。
尚、前記基礎は、例えば、コンクリートスラブ、または係るスラブとその上に配置した複数のコンクリートブロックとからなる。また、前記土台は、後述するようにアルミニウム合金からなる長尺な押出形材を用いるが、これに限るものではない。更に、前記支持部材は、上記押出形材を所要長さに切断したものを用いるが、これに限らず、Ｈ型鋼を所要長さに切断したものを用いても良い。
【０００８】
また、本発明には、前記支持部材は、互いに平行な上フランジおよび下フランジと、これらの間を連結する垂直なウェブとを備え、下フランジは、土台の上面に固定される共に、上フランジは、隣接するデッキ材の各側面に設けたスリットに挿入される、デッキ材支持構造（請求項２）も含まれる。
これによれば、複数のデッキ材は、それらの側面のスリットに支持部材の上フランジが嵌装することで所定の位置に係止される。このため、各デッキ材の位置決めが正確にでき、デッキ床の施工を容易且つ迅速に行うことが可能となる。
【０００９】
更に、本発明には、前記土台は、アルミニウム合金の押出形材からなり、前記基礎の上に載置される中空部を内設する本体と、係る本体の側面における下端から水平に延びて上記基礎に固定される固定フランジと、上記本体の上面に位置し前記支持部材の下フランジを嵌装する凹溝と、を全長に沿って有する、デッキ材支持構造（請求項３）も含まれる。
これによれば、土台自体の寸法および形状精度が高くなるため、当該土台上の凹溝内における任意の位置に、支持部材を正確且つ容易に配置して固定できる。このため、各種サイズのデッキ材に対し、容易に対応して施工することができる。また、デッキ材の重量や歩行者の歩行に伴う荷重を支持部材を介して、土台全体により確実に支持することができる。しかも、土台自体が軽量で高強度且つ高耐食性であるため、施工し易く耐久性に優れたデッキ床を形成することが可能となる。
尚、前記土台の長手方向と支持部材の上・下フランジ間に位置するウェブの長手方向とは、直交する（土台とデッキ材との長手方向が直交する）形態の他、互いに平行となる（土台とデッキ材との長手方向が平行となる）形態も含まれる。
【００１０】
また、本発明には、前記土台は、前記凹溝の底面に沿って少なくとも１つの樋が形成されている、デッキ材支持構造（請求項４）も含まれる。
これによれば、デッキ材同士間の隙間から土台の凹溝内に入った雨水を、上記樋を通じて当該土台の木口（両端の端面）から容易に排水することができると共に、土台を含めたデッキ床のメンテナンスも容易となる。
更に、本発明には、前記土台は、前記凹溝の両側に一対の凸条を突設しており、係る凸条により前記複数のデッキ材の底面を支持する、デッキ材支持構造（請求項５）も含まれる。
これによれば、土台における凹溝の両側から上方に突出する一対の凸条の何れかに、各デッキ材の底面を支持した状態で、各デッキ材のスリットに支持部材の上フランジが嵌装して各デッキ材を係止する。このため、各デッキ材の重量や歩行者の荷重を凸条を介して、土台全体により支持することができる。
尚、土台を前記押出形材で形成するに際しては、後述するように、一対の凸条の厚みをその他の部位よりも厚肉とすることが望ましい。
【００１１】
また、本発明には、前記土台における一対の凸条は、断面ほぼＴ字であると共に、当該一対の凸条間の凹溝に嵌装される前記支持部材との間に樋部を形成する、デッキ材支持構造（請求項６）も含まれる。
これによれば、断面ほぼＴ字を呈する上記一対の凸条の各内側片と、これらの間の凹溝内に嵌装される前記支持部材との間に、当該凹溝の一部である樋部が一対形成される。この結果、デッキ材同士間の隙間から土台の凹溝内に入った雨水を、上記樋部を通じて当該土台の木口から容易に排水することができる。
加えて、本発明には、前記土台と前記基礎との間に、弾性を有するパッキンが介在している、デッキ材支持構造（請求項７）も含まれる。
これによれば、複数のデッキ材、支持部材、および土台などの荷重をパッキンを介して、コンクリートスラブなどの基礎に支持させるため、基礎への集中荷重や衝撃荷重を低減したり、減衰することができる。尚、上記パッキンは、例えば、硬質ゴムや硬質合成樹脂からなり、前記支持部材ごとの直下における土台の下側に配置する形態の他、土台の底面のほぼ全長に沿って配置する形態としても良い。
【発明を実施するための最良の形態】
【００１２】
以下において、本発明を実施するための最良の形態について説明する。
図１は、本発明のデッキ材支持構造Ｋの要部を示す斜視図、図２は、図１中のＸ−Ｘ線の矢視に沿った垂直断面図、図３は、図２中のＹ−Ｙ線の矢視に沿った垂直断面図である。
図１〜図３に示すように、本発明のデッキ材支持構造Ｋは、コンクリートスラブＣの上に配置したコンクリートブロック（以下、ブロックと称する）Ｂ上に固定される土台１と、係る土台１の上に固定される支持部材１０と、係る支持部材１０に側面を係止されて支持される複数のデッキ材ｄ１，ｄ２と、を備えている。
ブロックＢは、複数個がコンクリートスラブＣの上に等間隔で図示しないモルタルを介して固着される。尚、係るブロックＢと上記スラブＣとは、本発明の基礎を構成する。また、上記スラブＣは、建物の屋上または土間コンクリートなどであり、ブロックＢを除いた当該スラブＣのみでも本発明の基礎を構成し得る。
【００１３】
ブロックＢの上面には、硬質の合成ゴムまたは合成樹脂などからなり且つ弾性を有する複数のパッキン９を介して、長尺な土台１が配置される。係る土台１は、アルミニウム合金（例えば、ＪＩＳ：Ａ６０６３Ｓ−Ｔ５）の押出形材からなり、図２に示すように、複数の中空部３を内設する断面長方形の本体２と、係る本体２の両側面の下端から外側に水平に延びる一対の固定フランジ５と、本体２の両側面の上端から上向きに突出する左右一対の凸条６と、係る凸条６，６の間で且つ本体２の上面に位置する凹溝８と、を図示の前後方向の全長に沿って有する。
【００１４】
土台１の本体２は、左右一対の仕切壁４により、大小三つの中空部３を内設している。また、左右一対の固定フランジ５には、コンクリートネジｎが、パッキン９を貫通し且つブロックＢ中に達することで、当該土台１を固定している。
土台１における一対の凸条６は、本体２の厚みよりも厚肉であり、係る凸条６が支持すべきデッキ材ｄ１，ｄ２の底面に接触してこれらを支持する。因みに、土台１の本体２は、高さ：３３ｍｍ×幅：５６ｍｍ、固定フランジ５は、幅：約３０ｍｍ×厚み：２ｍｍ、凸条６は、縦：７ｍｍ×横：８ｍｍのサイズである。
【００１５】
図１〜図３に示すように、ブロックＢおよびパッキン９の真上で且つ土台１の凹溝８内には、支持部材１０が固定される。係る支持部材１０は、前記同様の押出形材を所定の長さに切断したもので、図３に示すように、土台１の凹溝８に嵌装される下フランジ１２と、係る下フランジ１２の中央から立設するウェブ１３と、係るウェブ１３の上端から下フランジ１２と平行に延びる上フランジ１４と、を図示の前後方向に沿って有する。下フランジ１２の上面の左右には、一対の溝１５が個別に形成され、当該支持部材１０を土台１に固定するネジｎの頭を受け入れる。また、下フランジ１２の底面の中央には、幅広の溝１６が位置する。
因みに、支持部材１０の下フランジ１２は、幅：７０ｍｍ×厚み：７ｍｍ、ウェブは、高さ：約９ｍｍ×厚み：約３ｍｍ、上フランジ１４は、幅：２０ｍｍ×厚み：約３ｍｍのサイズである。
尚、上記ネジｎは、セルフタッピングスクリューネジであり、少なくとも支持部材１０の下フランジ１２における一方の溝１５側で用いられる。
【００１６】
図１〜図３に示すように、デッキ材ｄ１，ｄ２は、土台１の凸条６，６に載置され且つ支持部材１０のウェブ１３と平行に配置される。係るデッキ材ｄ１，ｄ２は、それらの側面に形成されたスリットｓに支持部材１０の上フランジ１４の左右の約半分が挿入されることで、当該支持部材１０に係止される。尚、デッキ材ｄ１，ｄ２の長手方向は、支持部材１０のウェブ１３と平行で且つ土台１の長手方向と直交する方向、即ち、図１，２の左右方向で且つ図３の前後方向である。
デッキ材ｄ１，ｄ２は、平面視が長方形を呈し、幅：約３０ｃｍ×厚み：約３ｃｍの断面で且つ長さ：数メートルの外形サイズである。これらは、例えば、木材粉粒と合成樹脂とを混合し且つ上記外形サイズに押出成形した後、各側面の長手方向で且つ平面方向に沿って、深さ：約１０ｍｍ×幅：約３ｍｍのスリットｓを、例えば鋸引きで水平に形成したものである。
【００１７】
尚、デッキ材ｄ１，ｄ２の内部には、図示しない中空部を形成しても良い。また、デッキ材ｄ１，ｄ２は、天然の木材から形成しても良い。
以上のようなデッキ材支持構造Ｋによれば、パッキン９を介して複数のブロックＢ上に跨り且つ押出形材からなる土台１が固定され、係る土台１上面の凹溝８に下フランジ１２が嵌装され且つ固定された支持部材１０の上フランジ１４が、隣接するデッキ材ｄ１，ｄ２の側面のスリットｓに挿入・係止される。このため、デッキ材ｄ１，ｄ２の荷重や歩行者による衝撃は、土台１の凸条６，６で支持され、且つパッキン９により緩衝される。しかも、デッキ材ｄ１，ｄ２は、スリットＳに支持部材１０の上フランジ１４を挿入して係止されるため、孔明け加工や固定用のボルト締結またはネジ止め作業が不要で、容易且つ精度良く施工できると共に、歩行者の安全が図れ、デッキ床全体の意匠性も良好にすることができる。
【００１８】
ここで、前述したデッキ材支持構造Ｋの施工方法について説明する。
図４に示すように、予め、複数のブロックＢをコンクリートスラブＣの上に、図示しないモルタルを介して、図示で左右および前後方向に沿って等間隔に固着する。次に、各ブロックＢの上にパッキン９を配置し、これらの上に跨って、土台１を図４の前後方向に沿って載置し、コンクリートネジｎを土台１の固定フランジ５からパッキン９を経て直下のブロックＢごとに打ち込んで、固定する。
次いで、図５に示すように、ブロックＢおよびパッキン９の真上に位置する土台１の凹溝８内に支持部材１０の下フランジ１２を嵌装し、当該下フランジ１２の何れか一方の辺を、上記ネジｎにより土台１の本体２に固定する。係る支持部材１０は、図５において、各土台１ごとの前後方向に沿って、３０ｃｍピッチの間隔で且つブロックＢとパッキン９との真上の位置ごとに複数個が固定される。
【００１９】
更に、図６に示すように、左右の支持部材１０の上フランジ１４における上方の半分（上半部）を、デッキ材ｄ１，ｄ１の各スリットｓに挿入することで、これらのデッキ材ｄ１を各支持部材１０に係止する。
図６中で左側の支持部材１０では、図示で左右に隣接するデッキ材ｄ１，ｄ１，の各スリットｓに、同じ上フランジ１４の上半部が挿入される。また、図６中で右側の支持部材１０では、右側のデッキ材ｄ１，ｄ２におけるスリットｓの中間に、上フランジ１４の上半部が挿入される。尚、各デッキ材ｄ１の長手方向は、図６において左右方向に沿っている。
次に、図６に示すように、左右の支持部材１０の上フランジ１４における下方の半分（下半部）に、デッキ材ｄ２，ｄ２の各スリットｓを前記同様に挿入して、これらのデッキ材ｄ２を各支持部材１０に係止する。この結果、図６中で左側の支持部材１０では、４枚のデッキ材ｄ１，ｄ１，ｄ２，ｄ２の各スリットｓの出端部が係止され、右側の支持部材１０では、図示で上下２枚のデッキ材ｄ１，ｄ２の各スリットｓの中間が係止される。
尚、図６の中程に示すように、上下に隣接するデッキ材ｄ１，ｄ２の間には、支持部材１０のウェブ１３の厚みにほぼ相当する隙間Ｓが形成される。
【００２０】
前記図５，図６で示した施工作業は、実用的には、図７のようにして行われる。
図７の上段に示すように、複数のブロックＢに跨り且つ複数のパッキン９を介して固定された土台１の凹溝８内で且つ図示で右側のブロックＢの真上に、下フランジ１２をネジｎ止めして支持部材１０を固定する。尚、複数のブロックＢの間隔は、約３０ｃｍで且つデッキ材ｄ１，ｄ２の幅寸法とほぼ同じである。また、図示の前後にも、図示しない土台１が平行に配置されている。
次に、係る支持部材１０の上フランジ１４における左側の半分（左半部）をスリットｓに挿入するようにして、デッキ材ｄ１を土台１の凸条６の上に載置する。
【００２１】
次いで、図７の中段に示すように、上記デッキ材ｄ１のスリットｓに、新たな支持部材１０の上フランジ１４における右側の半分（右半部）を挿入した後、同図の中央に示すように、当該支持部材１０をその下フランジ１２の左片側でネジｎ止めする。
更に、図７の下段に示すように、中央で土台１に固定された上記支持部材１０の上フランジ１４の左半部をスリットｓに挿入するようにして、新たなデッキ材ｄ２を中央の土台１の凸条６の上に載置する。
そして、上記デッキ材ｄ２のスリットｓに、更に新たな支持部材１０の上フランジ１４の右半部を挿入した後、図７の下段の左側に示すように、当該支持部材１０をその下フランジ１２の左片側でネジｎ止めする。
以上の作業を繰り返すことにより、デッキ材ｄ１〜ｄｎと複数の支持部材１０とを、土台１０の上に順次固定することができる。
【００２２】
図８は、デッキ材支持構造Ｋを用い、幅方向に沿って８枚のデッキ材ｄ１〜ｄ８を、それらの長手方向に２段にして構築したデッキ床Ｄを示す平面図である。
図８に示すように、左右方向に沿って８枚で上下方向に２枚ずつ敷設された合計１６枚のデッキ材ｄ１〜ｄ８は、図８中の上端・下端・左端・右端の位置のものを除き、直下にブロックＢが位置する土台１上に固定された支持部材１０の上フランジ１４を、長手方向の両側面におけるスリットｓに挿入して係止される。
図８で左右方向の両端に位置する土台１の上には、図８中のＺ−Ｚ線の矢視に沿った断面図である図９に示すように、前記上フランジ１４とウェブ１３との断面Ｔ字形の部分を切除し、下フランジ１２からなる支持部材１０′が前記同様に固定される。係る支持部材１０′の上方に配置されるデッキ材ｄ１，ｄ８は、これらと支持部材１０′とを貫通し且つ土台１の本体２に達する長尺なネジＮによって固定される。
【００２３】
また、図８で上端に位置する土台１の端部上方には、図８中のＶ−Ｖ線の矢視に沿った断面図の図１０に示すように、係止金具２０が固定される。
係る係止金具２０は、前記同様の押出形材を所定の長さに切断したもので、土台１の凹溝８に嵌装される角形板部２１と、その外側端から土台１の凸条６の上方に延びるＬ形部２２と、係るＬ形部２２の先端から立設する垂直部２３と、その上端から内側に水平に延びる係止片２４と一体にを有する。係る支持金具２０の上方に配置されるデッキ材ｄ１〜ｄ８の一端の下隅には、図１０で例示するように、上記Ｌ形部２２を受け入れる切り欠きｋを予め形成しておく。
そして、図１０に示すように、支持金具２０の上方に配置されるデッキ材ｄ１〜ｄ８の一端部は、係る端面である側面に開口するスリットｓに、支持部材２０の係止片２４を挿入することによって係止される。
【００２４】
更に、図８で下端に位置する土台１の上には、図８中のＷ−Ｗ線の矢視に沿った断面図である図１１に示すように、予め、先に土台１の凸条６，６に載置され且つ長手方向の側面および一端側の出隅部のスリットｓを介して、前記支持部材１０ごとに係止されたデッキ材ｄ１〜ｄ８の他端が位置している。
係るデッキ材ｄ１〜ｄ８の他端側を係止するため、図１１で例示するような係止金具２５を用いる。係る係止金具２５は、前記同様の押出形材を所定の長さに切断したもので、土台１の本体２の外側面に添接して固定されるベース部２６と、その上端から外側の凸条６に沿って上向きに延びるＬ形部２７と、その上端から内側に水平に延びる係止片２８と、を一体に有する。
そして、図１０に示すように、支持部材２５の係止片２８をデッキ材ｄ１〜ｄ８の他端側の側面に開口するスリットｓに挿入した後、ベース部２６を土台１の本体２にネジｎで固定することにより、デッキ材ｄ１〜ｄ８の他端側を係止することができる。
【００２５】
図８に示すデッキ床Ｄを構成するには、予め、図８中で最上端の土台１上に複数の支持金具２０を等間隔に固定し、係る最上端の土台１の左右両端部とその他の土台１の左右両端部とに前記支持部材１０′をそれぞれ固定する。
次に、図８で上段側のデッキ材ｄ１〜ｄ８と、それらの間に配置して係止する支持部材１０とを、前記図７で示したように、交互に配置し且つ各支持部材１０をネジｎで土台１に固定する。この際、デッキ材ｄ１〜ｄ８の上端（一端）の側面のスリットｓには、支持金具２０の係止片２４が挿入される。また、左右両端のデッキ材ｄ１，ｄ８の外側面側では、前記長尺なネジＮを、当該デッキ材ｄ１，ｄ８と支持部材１０′とに貫通させて、直下の土台１に固定する。
【００２６】
更に、図８で下段側のデッキ材ｄ１〜ｄ８と、それらの間に配置して係止する支持部材１０とを、前記図７で示したように、交互に配置し且つ各支持部材１０をネジｎで土台１に固定すると共に、左右両端のデッキ材ｄ１，ｄ８の外側面側を上記と同様にして固定する。
最後に、図８の下段側で支持金具１０に係止されているデッキ材ｄ１〜ｄ８の下端（他端）の側面に開口するスリットｓに、前記支持金具２５の係止片２８を挿入した後、当該支持金具２５のベース部２６を、図８で最下段の土台１の本体２の側面にネジｎによって固定する。
【００２７】
以上のようなデッキ床Ｄは、合計１６枚のデッキ材ｄ１〜ｄ８からなり、これらの左右両端の外側面側のみに前記ネジＮの頭が露出するのみであるため、歩行者の安全が確保し易くなり、外観の意匠性にも優れると共に、デッキ材ｄ１〜ｄ８を精度良く容易且つ迅速に施工することができる。
尚、デッキ床Ｄは、前記図８で、全ての土台１の左右両端部と最下段の中間とに支持部材１０′をそれぞれ固定し、前記長尺なネジＮでデッキ材ｄ１〜ｄ８の外周部を固定するような形態としても良い。また、支持部材１０′に替えて、前記支持部材１０の下フランジ１２と同じ板厚で同様なサイズの平らな金属板を用いても良い。
【００２８】
本発明は、以上において説明した各形態に限定されるものではない。
例えば、図１２，図１３に示すように、土台１の長手（押出）方向に沿って、等間隔に複数の支持部材１０をそれらの押出方向と平行に配置して固定し、係る支持部材１０の上フランジ１４をデッキ材ｄ１，ｄ２のスリットｓに挿入して、隣接するデッキ材ｄ１，ｄ２を係止するデッキ材支持構造Ｋ′としても良い。
上記デッキ材支持構造Ｋ′の場合、土台１の長手方向とデッキ材ｄ１，ｄ２の長手方向とを平行とすることで、デッキ材ｄ１，ｄ２の自重と歩行者の歩行による振動や荷重を長い一対の凸条６，６によって支持することができる。尚、デッキ材支持構造Ｋ′に用いる土台１と支持部材１０とを、単一の押出形材で形成するようにしても良い。
【００２９】
また、土台１の凹溝８内に溜まる雨水を排水するため、支持部材１０，１０間ごとの凸条６に切り欠きをそれぞれ設けたり、本体２の上壁と下壁とにドリルによる貫通孔を明けるようにしても良い。
更に、凹溝８内に溜まる雨水を容易に排水するため、図１４に示すような土台１ａを用いても良い。係る土台１ａも、前記同様の押出形材からなり、図１４の断面図で示すように、本体２の中央部に高さの低い中空部３を設け、その真上の凹溝８の中央付近に断面凹形の樋７ａを図示の前後方向に沿って形成している。また、凹溝８の両側には、断面がほぼ逆Ｌ字形の凸条６ａが左右対称に立設されている。
係る土台１ａの場合、支持部材１０は、図１４に示すように、下フランジ１２を凹溝８の左右の底面上に載置され、前記ネジｎを下フランジ１２から本体２にネジ込むことで固定される。また、凹溝８に入った雨水は、中央の樋７ａを通じて当該土台１ａの木口（両端面）側から排水される。このため、前記土台１のように、支持部材１０，１０間ごとにドリルで孔明け加工する必要がないか、係る孔明け加工を低減できると共に、メンテナンスも容易となる。
【００３０】
また、図１５に示す土台１ｂを用いても良い。係る土台１ｂも、前記同様の押出形材からなり、図１５の断面図で示すように、本体２の中央付近に高い中空部３を設け、その両側の低い中空部３，３の真上である凹溝８の左右に断面凹形の樋７ｂ，７ｂを図示の前後方向に沿って形成すると共に、凹溝８の両側には、断面がほぼ逆Ｌ字形の凸条６ａを対称に立設している。
係る土台１ｂの場合、支持部材１０は、図１５に示すように、下フランジ１２を凹溝８の中央に位置する底面上に載置され、ネジｎを下フランジ１２から本体２にネジ込むことで固定される。また、凹溝８に入った雨水は、左右の樋７ｂを通じて当該土台１ｂの木口側から排水される。従って、前記同様に排水孔の孔明け加工が不要となるか、低減できると共に、メンテナンスも容易となる。
【００３１】
更に、図１６，図１７に示す土台１ｃを用いても良い。係る土台１ｃも、前記同様の押出形材からなり、図１６の断面図と図１７の斜視図とで示すように、前記土台１と同様な本体２と固定フランジ５とを有すると共に、凹溝８の両側には、断面ほぼＴ字形の凸条６ｂを左右対称に立設している。各凸条６ｂの凹溝８側に延びた内側片６ｃは、凹溝８の開口部を若干狭めている。
係る土台１ｃの場合、支持部材１０は、図１６，図１７に示すように、下フランジ１２を凹溝８の底面上に載置され、且つ前記ネジｎを本体２にネジ込むことで固定される。この際、支持部材１０と各凸条６ｂとの間には、凹溝８の一部である樋部８ａ，８ａが形成される。このため、凹溝８に入った雨水は、左右の樋部８ａを通じて当該土台１ｃの木口側から排水されので、前記同様に排水孔の孔明け加工が不要となるか、低減できると共に、メンテナンスも容易となる。
以上のような土台１ａ，１ｂ，１ｃを用いることでも、前記デッキ材支持構造Ｋを形成でき且つ前記デッキ床Ｄを構成することができる。
【００３２】
また、前記支持部材１０の上フランジ１４は、平坦な板形状に限らず、先端からウェブ１３に向かって徐々に厚肉になる形態や、上下の表面に鋸歯形状の細かな凹凸群を設けた形態としても良い。あるいは、一つの支持部材１０に上下二つの上フランジ１４を併設しても良い。
更に、前記コンクリートスラブＣが水勾配を有する場合には、低位置側のブロックＢの下方にレベル出し用のモルタルを充填したり、ジャッキを介在させても良い。また、土台が設置された基礎は、上記コンクリートスラブＣに限らず、複数の布基礎や複数の独立基礎としたり、整地され且つ砂利が均一な高さで敷設された地面であっても良い。
加えて、基礎の上で且つ土台との間に介在されるパッキンは、支持部材１０などの直下のみに限らず、土台の全長に沿って配置するようにしても良い。
尚、本発明のデッキ材支持構造は、建物の屋上や建物の周囲に限らず、舞台のような独立したデッキ面を形成する場合にも適用することが可能である。
【図面の簡単な説明】
【００３３】
【図１】本発明のデッキ材支持構造の要部を示す斜視図。
【図２】図１中のＸ−Ｘ線の矢視に沿った垂直断面図。
【図３】図２中のＹ−Ｙ線の矢視に沿った垂直断面図。
【図４】上記デッキ材支持構造の施工方法を示す概略図。
【図５】図４に続くデッキ材支持構造の施工方法を示す概略図。
【図６】上記施工方法により得られたデッキ材支持構造を示す部分平面図。
【図７】上記デッキ材支持構造の施工方法における手順を示す概略図。
【図８】上記デッキ材支持構造により得られたデッキ床の概略を示す平面図。
【図９】図８中のＺ−Ｚ線の矢視に沿った断面図。
【図１０】図８中のＶ−Ｖ線の矢視に沿った断面図。
【図１１】図８中のＷ−Ｗ線の矢視に沿った断面図。
【図１２】異なる形態のデッキ材支持構造を示す図２と同様な断面図。
【図１３】図１２中のＵ−Ｕ線の矢視に沿った垂直断面図。
【図１４】異なる形態の土台とこれに固定した支持部材とを示す部分概略図。
【図１５】更に異なる形態の土台と支持部材とを示す部分概略図。
【図１６】別異な形態の土台とこれに固定した支持部材とを示す部分概略図。
【図１７】上記土台とこれに固定した支持部材とを示す斜視図。
【符号の説明】
【００３４】
１，１ａ〜１ｃ…土台
２…………………本体
３…………………中空部
５…………………固定フランジ
６,６ａ,６ｂ……凸条
７ａ，７ｂ………樋
８…………………凹溝
８ａ………………樋部
９…………………パッキン
１０………………支持部材
１２………………下フランジ
１３………………ウェブ
１４………………上フランジ
Ｋ，Ｋ′…………デッキ材支持構造
ｄ１〜ｄ８………デッキ材
ｓ…………………スリット
Ｃ…………………コンクリートスラブ（基礎）
Ｂ…………………コンクリートブロック（基礎）
【図１】
2006077446.tif 000003
【図２】
2006077446.tif 000004
【図３】
2006077446.tif 000005
【図４】
2006077446.tif 000006
【図５】
2006077446.tif 000007
【図６】
2006077446.tif 000008
【図７】
2006077446.tif 000009
【図８】
2006077446.tif 000010
【図９】
2006077446.tif 000011
【図１０】
2006077446.tif 000012
【図１１】
2006077446.tif 000013
【図１２】
2006077446.tif 000014
【図１３】
2006077446.tif 000015
【図１４】
2006077446.tif 000016
【図１５】
2006077446.tif 000017
【図１６】
2006077446.tif 000018
【図１７】
2006077446.tif 000019